(57)【要約】【課題】記録再生装置が衝突または記録再生装置を落下させた場合、光ピックアップが当該衝撃をそのまま受け、円盤状記録媒体に対する光ピックアップの位置関係が変化し、記録再生特性を維持できない。【解決手段】光ピックアップ１６の主軸受と係合しリードスクリューと噛合するナット１７を介して光ピックアップ１６に駆動力を伝達する第１のガイドシャフト１３ａと、副軸受と係合する第２のガイドシャフト１３ｂとによってディスクの内外周方向に移動する機構において、ディスクの外周側で第１のガイドシャフト１３ａを支持するガイドシャフト支持部材１４ｂに位置規制部４７を備え、ディスクの外周側で第２のガイドシャフト１３ｂと支持するガイドシャフト支持部材１４ｄに、光ピックアップ１６と位置規制部４７とが当接している位置において、光ピックアップ１６が当接するごとく所定の間隙を有して可撓性形状部を備える。【選択図】図８
2004006037.tif 000002
【特許請求の範囲】
【請求項１】
　円盤状記録媒体を回転駆動する回転駆動手段と、前記円盤状記録媒体の信号を再生もしくは記録再生するピックアップ手段と、前記ピックアップ手段を前記円盤状記録媒体の径方向に移動する移動手段と、前記ピックアップ手段の移動をガイドするガイド手段と、前記ガイド手段を保持する保持手段と、前記回転駆動手段と前記ピックアップ手段と前記移動手段と前記ガイド手段と前記保持手段とを配設するシャーシ部材とを備える記録再生装置であって、
　前記ガイド手段は、前記ピックアップ手段の軸受部と嵌合する第１のガイド部材と、前記第１のガイド部材と略平行に配設された第２のガイド部材とを備え、
　前記保持手段は、前記第１のガイド部材を保持し前記円盤状記録媒体の内周側に配設された第１の保持部材と、前記第１のガイド部材を保持し前記円盤状記録媒体の外周側に配設された第２の保持部材と、前記第２のガイド部材を保持し前記円盤状記録媒体の内周側に配設された第３の保持部材と、前記第２のガイド部材を保持し前記円盤状記録媒体の外周側に配設された第４の保持部材とを備え、
　前記第２の保持部材には、前記ピックアップ手段を前記円盤状記録媒体の外周側で位置規制する位置規制部を形成されており、
　前記第４の保持部材には、前記第２の保持部材に形成されている位置規制部と前記ピックアップ手段とが当接する位置において、前記ピックアップ手段とある間隙を有して当接するごとく可撓性形状部が形成されていることを特徴とする記録再生装置。
【請求項２】
　第１のガイド部材に嵌合するピックアップ手段の軸受は主軸受であることを特徴とする請求項１記載の記録再生装置。
【請求項３】
　移動手段が第１のガイド部材が嵌合する主軸受と係合することを特徴とする請求項２記載の記録再生装置。
【請求項４】
　第２の保持部材に形成されている位置規制部は可撓性形状となっていることを特徴とする請求項１記載の記録再生装置。
【発明の詳細な説明】
【技術分野】
【０００１】
　本発明は、回転する円盤状記憶媒体から情報を再生、または録再する記録再生装置に関するものである。
【背景技術】
【０００２】
　近年、光ディスク、磁気ディスク等の円盤状記憶媒体（以下、ディスクと略す）を回転させ、光ピックアップ、磁気ヘッド等のセンサーを略径方向に走査させるトラバース機構を有し、情報を再生あるいは録再する記録再生装置は、コンピュータ周辺機器（ＣＤ−ＲＯＭ、光磁気ディスク、相変化ディスク等）、ＡＶ機器（ＣＤ、ＶｉｄｅｏＣＤ、ビデオディスク、ＤＶＤ等）等の情報記憶再生装置の基幹部品として注目されている。特に、情報記憶再生装置の軽薄短小化にあわせ、記録再生装置もより小型化、軽量化が求められ、かつ、信頼性や組立性も重視されてきている。
【０００３】
　以下、図面を参照しながら、従来の記録再生装置について説明する。図９は従来の記録再生装置の構成を示す破断要部斜視図である。図９において、１００２はシャーシで、板金プレスによって加工される。シャーシ１００２上には、ターンテーブル１００４を回転軸に圧入したスピンドルモータ１００３が設けられている。ターンテーブル１００４にディスク（図示せず）を載置し、スピンドルモータ１００３により回転する。
【０００４】
　ピックアップ１００５は、メインシャフト１００６ａ及びサブシャフト１００６ｂからなる一対のガイドシャフト１００６によりディスクの半径方向に移動可能にガイドされ、スピンドルモータ１００２によって回転したディスクに光ビームを照射し情報を記録再生する。メインシャフト１００６ａはディスク内周側端部近傍において支点となるように固定部１０２０で固定され、またサブシャフト１００６ｂも同様にディスク内周側端部近傍において支点となるように固定部１０２２で固定されており、両方とも外周側端部近傍において上下方向に摺動自在に固定されている。
【０００５】
　すなわち、図９のサブシャフト外周側端部の断面に示すように、ガイドシャフト１００６とシャーシ１００２との間にはバネ１０１４が設けられ、バネ１０１４の付勢力によりガイドシャフト１００６を上方向に押し上げている。一方、調整ネジ１０１５の先端部がこの付勢力に抗するように、バネ１０１４近傍でガイドシャフト１００６の上方から当接している。調整ネジ１０１５は、シャーシ１００２にネジ１０１６で固定されたシャフト受け１０１１に螺合して支持されている。調整ネジ１０１５を回転させることによって、調整ネジ１０１５はシャーシ１００２に対して相対的に上下し、バネ１０１４の付勢力で調整ネジ１０１５に押しつけられているガイドシャフト１００６は、ディスク内周側を支点に外周側でシャーシ１００２に対して上下に微動する。メインシャフト１００６ａも、破断断面図は省略したが、サブシャフト１００６ｂと同様に、ディスク内周側を支点としてシャーシ１００２に対して上下に微動する。この調整ネジの回転によってメインシャフト１００６ａ及びサブシャフト１００６ｂがそれぞれ独立に、メインシャーシ１００２に対し垂直方向の傾きを調整することで、ディスク面に対して平行にピックアップ１００５を移動させることができる。
【０００６】
　１００７はリードスクリューであって、円柱状の表面に螺旋溝１００７ａを有し、ガイドシャフト１００６に略平行になるよう、スピンドルモータ１００２に近い方の端部１００７ｂを固定部１０２０のスラスト軸受け部１０２０ｂで回転自在に軸支され、もう一方の端部１００７ｂは軸受け部１０２４に挿入され回転自在に軸支され、かつ端部１００７ｃに大ギヤ１００７ｄが固定されている。１００８はトラバースモータで、そのシャフトには小ギヤ１００８ａが固定され、小ギヤ１００８ａと大ギヤ１００７ｄが噛合するように構成され、トラバースモータ１００８はシャーシ３０２に固定されている。
【０００７】
　リードスクリュー１００７の螺旋溝１００７ａには、ピックアップ１００５の主軸受に設けられたナット１００９が係合している。リードスクリュー１００７はトラバースモータ１００８により回転し、これより螺旋溝１００７ａに沿ってナット１００９がリードスクリュー１００７に平行に送られ、これに伴いピックアップ１００５が載置されたディスクの径方向に移動する。
【０００８】
　１０３０はフレキシブルプリント基板（以下、フレキと略す）で、周知のように非常に柔軟な接続線で、ピックアップ１００５に信号を供給するものである。すなわち、フレキ１０３０を「Ｕ」の字状にして、その一端をピックアップ１００５のサブシャフト１００６ｂ側の側面に固定し、ピックアップ１００５内の電子回路（図示せず）に接続され、もう一端を対向するシャーシ１００２の側面内側に設けられたコネクター１０３２に接続され、これによりピックアップ制御回路（図示せず）からピックアップ１００５に信号が供給される。また、フレキ１０３０が柔軟なため、ピックアップ１００５のディスクの径方向移動の抵抗とはならない。
【０００９】
　１００２ａはシャーシ固定部で、シャーシ１００２側面から折り曲げ加工され、３カ所有り、特にスピンドルモータ１００３、トラバースモータ１００８の各近傍に１カ所ずつ設けられている。これらのシャーシ固定部１００２ａにより、情報記憶再生装置のフレーム（図示せず）や外装（図示せず）等に固定される。
【００１０】
　以上のように構成された記録再生装置の動作について説明する。まず、スピンドルモータ１００３を回転させて、ターンテーブル１００４に載置されたディスクを回転させる。続いて、トラバースモータ１００８によりリードスクリュー１００７を回転させる。これにより、リードスクリュー１００７の螺旋溝１００７ａと係合するナット１００９は、リードスクリュー１００７の軸方向に送られる。これに伴いナット１００９が固定され、かつガイドシャフト１００６によりディスク半径方向に摺動自在にガイドされたピックアップ１００５は、ディスク半径方向に送られる。これにより、ピックアップ１００５を任意のディスクのトラックの近傍に移動して、トラック上の情報を読み出す、または書き込むことができる。
【００１１】
　周知のように、ディスクは通常合成樹脂でできており、ターンテーブルに載置したときに若干の反りを有してしまう。またピックアップ１００５は光軸の傾き調整残差を持っており、スピンドルモータ１００３は軸の倒れを有しており、またシャーシ１００２は反りを持っている。この反り、軸の倒れ、調整残差により、ディスク面の法線とピックアップ１００５の光軸は傾きを持つ。この傾きは再生信号の時間軸方向の変動成分ジッタと相関を持っており、ジッタはこの傾きが大きくなるほど増えてゆき、その増え方もこの傾きが大きくなるほど増大していく。よって、システムのマージンを確保するため、ガイドシャフト１００６のディスクに対する傾きをできるだけ小さくする必要がある。
【００１２】
　調整ネジ１０１５は、シャーシ１００２にネジ１０１６で固定されたシャフト受け１０１１に螺合されており、回転すると調整ネジ１０１５の先端はシャーシ１００２に対する高さが変わる。ガイドシャフト１００６は、ディスク外周側端部でバネ１０１４により上方向に押し上げられて、調整ネジ１０１５に対して押圧されている。よって、調整ネジ１０１５の先端の高さが変化すると、その先端に当接しているガイドシャフト１００６の高さが変化する。ガイドシャフト１００６の一端はディスク内周側で固定されているので、その固定端を支点にガイドシャフト１００６は上下方向に回動し、ディスクに対する傾きを変化させる。この傾きを調整するチルト調整機構により、ピックアップ１００５とディスクの相対的な傾きを調整し、システムのマージンの確保をすることが可能となる。
【００１３】
　なお、ピックアップ１００５のディスク外周方向への移動は、例えばラジアル軸受１０２４及び／またはシャフト受け１０１１に対しピックアップ１００５が当接することで規制される。このディスク外周位置を規制する提案は、特許文献１に詳述されている。すなわち、ピックアップの副軸と螺合するねじ部にディスク外周方向で不完全ねじ部を有し、ディスク外周にピックアップが到達すると、装置シャーシに形成した外周ストッパに光ピックアップが当接すると共に、当該不完全ねじ部でねじ部が空回りし、ねじ部を回転するモータに対する負荷が軽減されたことを回転検知部が検知する構成を開示している。
【特許文献１】特開平７−１２９９６９号公報（段落番号００２９〜同００３１、及び図１）
【発明の開示】
【発明が解決しようとする課題】
【００１４】
　しかしながら上記の従来の構成では、以下に示す問題点を有していた。
【００１５】
　まず、リードスクリュー１００７のラジアル軸受け１０２４とトラバースモータ１００８とが別々に位置規制しているため、両軸間ピッチがばらついてしまう。これは、リードスクリュー１００７の大ギヤ１００７ｄとトラバースモータ１００８の小ギヤ１００８ａとが深くかみすぎてトラバースモータ１００８に大きな負荷がかかったり、あるいは浅くかむとギヤ音の発生や歯飛びの原因にもなっていた。ラジアル軸受１０２４とピックアップ１００５とが当接することでピックアップのディスク外周限界を規制する構成の場合には、ピックアップ１００５がラジアル軸受１０２４に当接する度にその衝撃でこのギヤ音の発生や歯飛びの現象が増加する傾向にある。
【００１６】
　また、ポータブル型の情報記憶再生装置に使用される記録再生装置では、落下衝撃や衝突等の急峻な衝撃（以下、これを総称して落下衝撃とする）に対しての信頼性を上げなければならない。上述した従来の記録再生装置の場合、ディスクの径方向に移動可能なピックアップ１００５は、落下衝撃時に衝撃的にシャフト受け１０１１等にぶつかり、破壊に至ってしまう。これを避けるため、シャーシ側面に弾性を有する衝撃弾性材であるラバー部１０４０を設け、衝撃をゆるめているが、この落下衝撃のために特別にラバー部１０４０を設けねばならず、シャーシが大きくかつ背が高くなってしまう。これは記録再生装置の軽薄短小化を阻害する要因となり、ポータブル型としては採用し難い。
【００１７】
　しかも、特許文献１で提案されている外周ストッパ、不完全ねじ部及び回転検知部からなる最外周部位置ストッパ手段では、ピックアップがディスクのラジアル方向に通常状態で移動する際にはさして問題は発生しない可能性はあるものの、落下衝撃を被ったときには外周ストッパとピックアップとの衝突を不完全ねじ部だけでは吸収しきれず、例えば主軸と副軸とに対するピックアップの位置精度に支障を来す、及び／またはねじ部と副軸との螺合状態が外れる危険性があり、ピックアップがディスクのラジアル方向に移動することができない、及び／またはピックアップの対物レンズを介してディスクを照射する光ビームにずれが生じ、共にピックアップの記録再生機能を損ねるという重大な課題がある。
【００１８】
　本発明は上記従来の問題点を解決するもので、トラバースモータからの動力をスムーズにかつ精度良くピックアップの移動に伝達し、コンパクトで、静かで、精度良いピックアップの送り動作が実現でき、また、落下衝撃に対しても強い記録再生装置を提供することを目的とする。
【課題を解決するための手段】
【００１９】
　この目的を達成するために本発明の記録再生装置は、円盤状記録媒体を回転駆動させるための回転駆動手段と、円盤状記録媒体の信号を再生もしくは記録再生するためのピックアップ手段と、ピックアップ手段を円盤状記録媒体の径方向に移動する移動手段と、ピックアップ手段の移動をガイドするためのガイド手段と、ガイド手段を保持するための保持手段と、回転駆動手段とピックアップ手段と移動手段とガイド手段と保持手段とを配設するシャーシ部材と、を備える記録再生装置であって、ガイド手段は、ピックアップ手段の軸受部と嵌合する第１のガイド部材と、第１のガイド部材と略平行に配設された第２のガイド部材とを備え、保持手段は、第１のガイド部材を保持し円盤状記録媒体の内周側に配設された第１の保持部材と、第１のガイド部材を保持し円盤状記録媒体の外周側に配設された第２の保持部材と、第２のガイド部材を保持し円盤状記録媒体の内周側に配設された第３の保持部材と、第２のガイド部材を保持し円盤状記録媒体の外周側に配設された第４の保持部材とを備え、第２の保持部材にはピックアップ手段を円盤状記録媒体の外周側で位置規制する位置規制部が形成されており、第４の保持部材には第２の保持部材に形成されている位置規制部とピックアップ手段が当接する位置において、ピックアップ手段とある間隙を有して当接するごとく可撓性形状部が形成されている。
【発明の効果】
【００２０】
　円盤状記録媒体の外周側でガイド手段を保持する保持部材に、ピックアップ手段とある間隙を有して当接するごとく可撓性形状部を形成した構成により、ピックアップ手段に加わる衝撃力を緩和でき、落下衝撃に対しても強くなるという優れた効果が得られる。
【発明を実施するための最良の形態】
【００２１】
　（実施の形態１）
　図１は本発明の実施の形態１の記録再生装置の構成斜視図であり、図２は駆動部の裏側から見た部分平面図である。図１および図２において、１０はトラバース部品が配設されているシャーシ部材である。シャーシ部材１０には回転駆動手段であるターンテーブル１１を軸に圧入したスピンドルモータ１２が固定されている。また、シャーシ部材１０にはガイド手段である１対のガイドシャフト１３ａ、１３ｂが保持手段であるガイドシャフト支持部材１４ａ、１４ｂ、１４ｃ、１４ｄを介して固定されている。
【００２２】
　このガイドシャフト１３ａ及び１３ｂは、円盤状記録媒体であるディスク１５から情報を再生または録再するピックアップ手段１６を、ディスク１５（図１にて一点鎖線にて図示）の半径方向に摺動自在に支持している。ピックアップ手段１６の主軸受には、ナット１７がネジ（図示せず）で固定されている。ナット１７にはバネ１８が取り付けられ、それにより後述するリードスクリュー１９に対して軽い押圧力を加えている。このナット１７は、ガイドシャフト１３ａ及び１３ｂに対し略平行に設けら、円柱状の表面に螺旋溝を形成したリードスクリュー１９と係合している。リードスクリュー１９の一端には伝達手段の１つであるスクリューギヤ２０が固着されており、スクリューギヤ２０は駆動源たるモータ部材２１のモータシャフト２２に圧入された伝達手段の１つであるモータギヤ２３と噛合し、モータ部材２１からの回転力をモータギヤ２３及びスクリューギヤ２０を介して減速し、リードスクリュー１９に伝達している。また、モータ部材２１は、板金加工した駆動ベース部材２４の第１の直角曲げ部２５に、ビス２６ａ及び２６ｂで固定されており、第１の直角曲げ部２５と略平行に駆動ベース部材に形成された第２の直角曲げ部２７には、リードスクリュー１９を軸支する軸受部材２８が固着されている。
【００２３】
　以上のように構成された情報記憶装置について、以下その基本動作について説明する。まず、スピンドルモータ１２を回転させて、ターンテーブル１１に載置されたディスク１５を回転させる。続いて、モータ部材２１によりモータギヤ２３スクリューギヤ２０を介してリードスクリュー１９を回転させる。これにより、リードスクリュー１９と係合するナット１７はリードスクリュー１９の軸方向に送られる。これに伴いナット１７が固定され、かつガイドシャフト１３ａによりディスク半径方向に摺動自在にガイドされたピックアップ手段１６はディスク半径方向に送られる。これにより、ピックアップ手段１６をディスク１５の任意のトラック近傍にラジアル方向に移動して、ディスク１５の任意のトラック上の情報を読み出し、または書き込むことができる。
【００２４】
　近年、ディスクの記録密度の高密度化が進み、それを読み書きする情報記憶装置の精度も高いものが要求されてきている。高精度化の一例として、例えば光ディスクの場合、特にディスク記録面とピックアップの光軸の傾き精度は高い必要があり、量産性のある加工の精度では要求を満たせず、調整する必要がある。その調整方式として、シャーシに固定したスピンドルモータに対してガイドシャフトを上下動させ、傾きを調整する方法がよく用いられる。本実施形態の場合も、ガイドシャフト１３ａ、１３ｂのディスクの外周側でのガイドシャフト支持部材１４ｂ、１４ｄでシャフトを上下させて傾きを調整している。
【００２５】
　もう一つの高精度化の例は、ディスクの記録密度の高密度化が進むと、ピックアップ手段１６をディスク１５の任意のトラック近傍に移動して、ディスク１５の任意のトラック上の情報を精度良く読み出す、または書き込むために、送り精度が要求される。
【００２６】
　本実施形態では、１つの駆動ベース部材２４上に減速ギヤ列を構成しているため、ギヤの軸間ピッチ等の寸法精度は駆動ベース部材２４という１つの部品で決定でき、その寸法バラツキは単品の部品バラツキ内に押さえ込みことができる。よって、軸間ピッチが狭くなることに起因するモータに対する負荷増加、及び／または回転ムラが発生しピックアップ手段１６の送り精度が悪くなりディスクへの情報の読み書きが精度良く行えない等の問題点や、逆に軸間ピッチが広くなりすぎることに起因するギヤ間で歯飛びが発生したり、歯飛びに至らなくてもギヤ間のバックラッシュが大きくなることにより、ギヤ騒音が大きくなって装置の性能として支障が出る等の問題点がなくなる。特に昨今の記録再生装置の小型化が進む中、ギヤ等の構成部品も小さくなってきており、本実施形態の効果は大なるものである。なお、本実施形態では駆動ベース部材２４と軸受部材２８とは別体構成であるが、合成樹脂等で一体で構成して部品点数を減らしコストダウンを図ることもできる。
【００２７】
　図３は、移動手段を保持手段の１つであるガイドシャフト支持部材１４ｂに対して装着する工程を説明する斜視組立図である。図３において、ピックアップ手段１６をディスク１５の半径方向に摺動自在に支持しているガイドシャフト１３ａは、その一端はガイドシャフト支持部材１４ａで軸支され、他端はガイドシャフト支持部材１４ｂでシャフト付勢バネ２９を介して上下方向のみ移動調整可能に軸支されている状態で配設されている。また、リードスクリュー１９はスクリューギヤ２０の固着されている側の端部３０を、駆動ベース部材２４に固着されている軸受部材２８を通すと共に、リードスクリュー１９のもう一方の端部３１を、ガイドシャフト支持部材１４ａに軸支した状態で、ガイドシャフト支持部材１４ｂに形成されている位置決め凸部３２，３３に、駆動ベース部材２４に形成されている位置決め部３４，３５を合わせるようにしてガイドシャフト支持部材１４ｂに上から装着し、ビス３６ａ、３６ｂによって固着させる。
【００２８】
　装着状態をさらに詳細に説明すると、ガイドシャフト支持部材１４ｂには図４で示すように、リードスクリュー１９の端部３０の先端に当接する部分はＴ字状可撓部３７が形成されており、さらに、その近傍には駆動ベース部材２８を装着時に軸受部材２８が抜けることを防止するための係合部３８が形成されている。図５は、駆動ベース部材２８をガイドシャフト支持部材２４ｂに装着する前の状態を示したものである。
【００２９】
　ところでリードスクリュー１９は、ナット１７を介してピックアップ手段１６を精度良く移動させるためリードスクリュー１９の長手方向のガタをなくす必要があり、そのためリードスクリュー１９の一端を軸支しているガイドシャフト支持部材１４ａで当て、ガイドシャフト支持部材１４ｂに形成されているＴ字状可撓部３７で付勢し、ガタをなくすためＴ字状可撓部３７には付勢部材であるコイルバネ３９が配設されている。また、コイルバネ３９の装着性向上と抜け防止のため、Ｔ字状可撓部３７とガイドシャフト支持部材１４ｂのコイルバネとが当接する壁部には、三角状凸部４０ａ、４０ｂが形成されている。駆動ベース部材２８の装着前はＴ字状可撓部３７は図５に示すように傾いた状態にあり、この状態では一旦冶具等を使用して図５の矢印Ａ方向にＴ字状可撓部３７の傾きを補正してから装着しなければ、リードスクリュー１９の端部３０がＴ字状可撓部３７の先端部に当たり、装着時にＴ字状可撓部３７を破損させてしまうおそれがある。また、冶具等を使用すると組立工数もかかり、修理サービス等の問題もある。
【００３０】
　本実施形態では、駆動ベース部材２８に固着されている軸受部材２８に、図７に示す三角状突起部４１ａ、４１ｂが形成されており、装着時に三角状突起部４１ａ、４１ｂの端面でＴ字状可撓部３７をバネ付勢力に抗して矢印Ａ方向に移動させることによって、リードスクリュー１９の端部３０がＴ字状可撓部３７に当たることなく、スムーズに装着することが可能となる。さらに、装着後三角状突起部４１ａ、４１ｂがＴ字状可撓部３７の下部空間部４２ａ、４２ｂに入り込むため抜け防止にもなる。またＴ字状可撓部３７の先端部４３をＣ面カットすることによりさらに装着性が良くなる。尚、駆動ベース部材２８と軸受部２８と三角状突起部４１ａ、４１ｂを合成樹脂等で一体的に構成した場合でも同様の効果があるのはいうまでもない。
【００３１】
　図８は本実施形態の記録再生装置の平面図である。図１および図８において、ピックアップ手段１６はガイドシャフト１３ａ及び１３ｂにより、ディスク１５の半径方向に摺動自在に支持されている。また、ガイドシャフト１３ｂの一端はガイドシャフト支持部材１４ｃにより支持され、他端はガイドシャフト支持部材１４ｄにより支持されている。ところで、ガイドシャフト支持部材１４ｄは前述したガイドシャフト支持部材１４ｄと同様、ガイドシャフト１３ｂを調整のため上下動作可能にガイドシャフト１３ｂの下に付勢バネ（図示せず）が配設されており、ガイドシャフト支持部材１４ｄ上から調整ネジ４４が配設された押さえ部材４５と共に、ビス４６によってシャーシ部材１０に固定されている。
【００３２】
　ＣＤやＤＶＤのような光ディスクでは一般的にその内周側から記録されるため、記録型光ディスクでは外周側には情報が記録されていないことが多く、ディスクからの情報を読んだりディスクへ情報を書き込んだりするピックアップ手段１６は、通常スピンドルモータ１２に近いディスクの内周側に位置することが多い。しかし、前述したように記録再生装置の輸送時及び／または記録再生装置をポータブル機器として使用した時には不意の落下等により、図８の矢印Ｂ側に強く落下衝撃を受けることもあり得る。この場合、ピックアップ手段１６は、リードスクリュー１９に対しピックアップ手段１６に固定されているナット１７を介して係合しているのみであり、落下衝撃を受けたピックアップ手段１６はディスクの内周側から外周側にあるガイドシャフト支持部材１４ｂまで移動し、位置規制部４７に強く当たり、ピックアップ手段１６に大きな衝撃力が加わり、破損したり、表面上破損はみられなくても、ピックアップ手段１６は多くの高精度な部品で構成されかつ精密に調整されているため、構成部品のわずかなズレでも性能不良となる。
【００３３】
　従って、少なくとも、ピックアップ手段１６に加わる衝撃力を下げる必要があり、このため本実施形態では、ピックアップ手段１６が落下衝撃を受けると、まずガイドシャフト支持部材１４ｂに設けた位置規制部４７と当接し、さらにピックアップ手段１６の重心部がガイドシャフト手段１３ａ及び１３ｂの間（厳密には主軸受と係合するガイドシャフト１３ａ側）にあり、重心部が一対のガイドシャフト１３ａ及び１３ｂ間で偏在しているため、図８の矢印Ｃ方向に大きなモーメントを受け、ガイドシャフト１３ａやガイドシャフト支持部材１４ｂにたわみを生じさせる等により図８の矢印Ｃ方向に変位を生ずる。そこで、ガイドシャフト支持部材１４ｄに一体的に形成した可撓性形状部４９を、ピックアップ手段１６が位置規制部材４７で当たる位置において、ピックアップ手段１６とわずかな間隙部４８を介して対向する構成を採用することにより、ピックアップ手段１６に加わる衝撃力を衝撃緩衝材等の別部材を追加することなく緩和させることができる。さらに、ガイドシャフト支持部材１４ｂの位置規制部４７を、図４に示すごとく可撓性形状にすることでさらにピックアップ手段１６に加わる衝撃力を緩和することができる。
【００３４】
　なお、上述した実施形態において、可撓性形状部は、ディスクの外周部側のガイドシャフト支持部材１４ｄ、および１４ｂに設けているが、ディスクの内周側であるガイドシャフト支持部材１４ａ、１４ｃに設けても、内外周どのガイドシャフト支持部材１４ａ、１４ｂ、１４ｃ１４ｄに設けても良い。
【００３５】
　また、上述した実施形態において、ターンテーブルを回転駆動するスピンドルモータをシャーシに固定し、ピックアップ手段をガイドシャフトに沿って摺動する構成を例に採り説明したが、ピックアップ手段をシャーシに固定し、スピンドルモータをガイドシャフトに沿って摺動する構成であっても、本発明の構成は採用でき、その構成に基づく効果も同様である。
【産業上の利用可能性】
【００３６】
　本発明は、ピックアップをガイドするガイド軸を円盤状記録媒体の外周部において保持する保持部材に、ピックアップが位置規制部に当接する位置よりも外周側にでょ体の間隙を有し、当該ピックアップ手段と当接するごとく可撓性形状部を備えた記録再生装置である。従って、落下衝撃または衝突等の急峻な衝撃を当該記録再生装置が受けた場合でも、可撓性形状部とピックアップとの当接に際してのピックアップが受ける衝撃を極めて小さくできるため、特にポータブル機器として適用性が高い。
【図面の簡単な説明】
【００３７】
【図１】本発明の実施の形態１における記録再生装置の構成斜視図
【図２】同、実施の形態１における駆動部の部分平面図
【図３】同、実施の形態１における移動手段をガイドシャフト支持部材１４ｂへの装着を説明する斜視組立図
【図４】同、実施の形態１におけるガイドシャフト支持部材１４ｂの構成斜視図
【図５】同、実施の形態１における移動手段をガイドシャフト支持部材１４ｂへの装着を説明するための断面図
【図６】同、実施の形態１における移動手段をガイドシャフト支持部材１４ｂへの装着を説明するための断面図
【図７】同、実施の形態１における軸受部材の三角状突起部の構成斜視図
【図８】同、実施の形態１における記録再生装置の平面図
【図９】従来の記録再生装置の斜視構成図
【符号の説明】
【００３８】
　１０　シャーシ部材
　１２　 スピンドルモータ
　１３ａ、１３ｂ　ガイドシャフト
　１４ａ、１４ｂ、１４ｃ、１４ｄ　ガイドシャフト支持部材
　１５　ディスク
　１６　ピックアップ手段
　１７　ナット
　１９　リードスクリュー
　２０　スクリューギヤ
　２１　モータ部材
　２３　モータギヤ
　２４　駆動ベース部材
　２５　第１の直角曲げ部
２７　第２の直角曲げ部
　２８　軸受部材
　３２，３３　位置決め凸部
　３４，３５　位置決め部
　３７　Ｔ字状可撓部
　３８　係合部
　３９　コイルバネ
　４０ａ、４０ｂ　三角状凸部
　４１ａ、４１ｂ　三角状突起部
　４７　位置規制部
　４８　間隙部
　４９　可撓性形状部
【図１】
2004006037.tif 000003
【図２】
2004006037.tif 000004
【図３】
2004006037.tif 000005
【図４】
2004006037.tif 000006
【図５】
2004006037.tif 000007
【図６】
2004006037.tif 000008
【図７】
2004006037.tif 000009
【図８】
2004006037.tif 000010
【図９】
2004006037.tif 000011